(57)【要約】【課題】従来方式によりプロセスの状態監視や性能分析を行なうには対象プロセスの内部情報を出力し、別途同条件で動作させＯＳのシステム情報を採取し情報を人手で取捨選択し、両情報をタイムテーブルで見較べ分析する必要がある。又トレース情報の加工、分析、記録を常時実行しシステムを高負荷にしていた。【解決手段】監視の対象とするプロセス６の内部のプロセス情報を順次採取しプロセス情報テーブル８に記録するプロセス情報採取手段２と、システム全体の動作状況やステータスを定期的に採取しシステム情報テーブル７に記録するシステム情報採取手段１と、出力要求を検出すると両テーブルの各エントリの情報を時刻情報をキーとして対応付ける情報解析手段３と、対応付けられたプロセス情報とシステム情報を編集出力形式ファイル９の指定に従って選択、編集しファイルに出力する情報出力手段４とを有する。【選択図】      図１
2004295321.tif 000002
【特許請求の範囲】
【請求項１】
監視の対象とするプロセス内部のプロセス情報を順次採取しプロセス情報テーブルに記録するプロセス情報採取手段と、システム全体の動作状況やステータスを定期的に採取しシステム情報テーブルに記録するシステム情報採取手段と、出力要求を検出すると前記両テーブルの各エントリの情報を時刻情報をキーとして対応付ける情報解析手段と、対応付けられたプロセス情報、システム情報を編集出力形式ファイルの指定に従って選択、編集しファイルに出力する情報出力手段とを有することを特徴とするプロセス状態監視分析方式。
【請求項２】
監視対象の複数のプロセス毎に設けられ、各プロセス内部のプロセス情報を順次採取し自己のプロセス情報テーブルに記録する、複数のプロセス情報採取手段と、システム全体の動作状況、ステータス、実行プロセス情報を定期的に採取しシステム情報テーブルに記録するシステム情報採取手段と、監視対象のプロセスの内の少なくとも一つから出力要求を受けると前記各プロセス情報テーブルにシステム情報テーブルの情報を時刻情報、或いは前記実行プロセス情報をキーとして対応付ける第２の情報解析手段と、対応付けられたプロセス情報とシステム情報の組を、編集出力形式ファイルの指定に従って選択し編集しファイルに出力する情報出力手段とを有することを特徴とするプロセス状態監視分析方式。
【請求項３】
前記プロセス情報採取手段を、監視対象のプロセスに埋め込まれ、プロセス異常を含めたイベント発生時に記録手段を呼び出す手段と、イベントを記録する手段とすることを特徴とする請求項１、又は２記載のプロセス状態監視分析方式。
【請求項４】
前記システム情報採取手段をオペレーティングシステムが出力するシステムアクティビティ情報エリアから、定期的にオペレーティングシステムやユーザプロセスのＣＰＵ稼働時間情報、Ｉ／Ｏ待ち時間情報を含むシステム情報を採取し記録する手段とすることを特徴とする請求項１、又は２記載のプロセス状態監視分析方式。
【請求項５】
前記プロセス情報テーブル、システム情報テーブルをメモリ上のテーブルとし、プロセス情報採取手段やシステム情報採取手段が所定サイズのテーブルエリアを循環使用し記録することを特徴とする請求項１、又は２記載のプロセス状態監視分析方式。
【請求項６】
監視の対象とするプロセス内部のプロセス情報を順次採取しプロセス情報テーブルに記録するプロセス情報採取手順と、システム全体の動作状況やステータスを定期的に採取しシステム情報テーブルに記録するシステム情報採取手順と、出力要求を検出すると前記両テーブルの各エントリの情報を時刻情報をキーとして対応付ける情報解析手順と、対応付けられたプロセス情報とシステム情報を編集出力形式ファイルの指定に従って編集しファイルに出力する情報出力手順とを有することを特徴とするプロセス状態監視分析プログラム。
【請求項７】
監視対象の複数のプロセス毎に設けられ、各プロセス内部のプロセス情報を順次採取し自己のプロセス情報テーブルに記録する、複数のプロセス情報採取手順と、システム全体の動作状況、ステータス、実行プロセス情報を定期的に採取しシステム情報テーブルに記録するシステム情報採取手順と、監視対象のプロセスの内の少なくとも一つから出力要求を受けると前記各プロセス情報テーブルにシステム情報テーブルの情報を時刻情報、或いは前記実行プロセス情報をキーとして対応付ける第２の情報解析手順と、対応付けられたプロセス情報とシステム情報の組を、編集出力形式ファイルの指定に従って選択し編集しファイルに出力する情報出力手順とを有することを特徴とするプロセス状態監視分析プログラム。
【請求項８】
前記プロセス情報採取手順を、監視対象のプロセスに埋め込まれ、プロセス異常を含めたイベント発生時に記録手段を呼び出す手順と、イベントを記録する手順とすることを特徴とする請求項６、又は７記載のプロセス状態監視分析プログラム。
【請求項９】
前記システム情報採取手順をオペレーティングシステムが出力するシステムアクティビティ情報エリアから、定期的にオペレーティングシステムやユーザプロセスのＣＰＵ稼働時間情報、Ｉ／Ｏ待ち時間情報を含むシステム情報を採取し記録する手順とすることを特徴とする請求項６、又は７記載のプロセス状態監視分析プログラム。
【請求項１０】
前記プロセス情報採取手順がメモリ上の所定サイズのテーブルエリアを循環使用しプロセス情報テーブルを最新状態に更新し、前記システム情報採取手順がメモリ上の所定サイズのテーブルエリアを循環使用しシステム情報テーブルを最新状態に更新することを特徴とする請求項６、又は７記載のプロセス状態監視分析プログラム。
【発明の詳細な説明】
【０００１】
【発明の属する技術分野】
本発明はプロセス状態監視分析方式及び監視分析プログラムに関し、特に監視対象のプロセスやプロセス群のトレース情報の他関連するシステム情報も収集し、出力要求された時或いはプロセス異常発生時に収集情報を対応付け編集しファイル出力することでシステムを高負荷にすることなく、運用中にも適用できるプロセス状態監視分析方式及び監視分析プログラムに関する。
【０００２】
【従来の技術】
従来より、プログラムの処理の実行性能を監視及び分析する装置があり、例えば次の様なオンラインプログラム性能情報採取装置がある。
【０００３】
利用者からのトランザクション処理要求を受け付け、監視や分析対象であるオンラインプログラムに制御を渡し、これより処理結果を受け取り要求元に通知する通信管理手段を通じて、トランザクション処理監視手段がオンラインプログラムの性能情報を採取する。
【０００４】
トランザクション処理監視手段は、処理要求に対応するトランザクションの開始前及び終了時にトランザクションの性能情報を採取し、後者より前者を減算することにより、該トランザクションの性能情報を求める。
【０００５】
性能情報加工手段は、該性能情報を、予め定められた性能情報加工条件に照合し、対応する手順にしたがった記録形式に加工する。性能情報記録手段は、該記録形式に加工された性能情報を性能情報蓄積領域に記録する（特許文献１参照。）。
【０００６】
【特許文献１】
特開平９−２４４９９８号公報（第１頁、図１）
【０００７】
【発明が解決しようとする課題】
上記従来のオンラインプログラム性能情報採取装置では、監視や分析対象であるオンラインプログラムの性能情報（処理時間が一定閾値を越える処理のトランザクション処理に要したＣＰＵ時間とＩＯ発行回数、トランザクション処理時間及び処理時間が一定閾値以下の処理のＣＰＵ時間とトランザクション処理時間）が採取されるが、オペレーティングシステム（ＯＳ）の管理している情報まで採取されない。
【０００８】
しかしながら、トランザクション処理に異常に時間が掛かかった、或いはトランザクション処理が異常終了した場合等の分析においては、同時間やその前におけるオンラインプログラム以外のプロセスも含めた全体的状況情報が必要である。
【０００９】
というのは異常を検出したプログラムに原因はなく、ＯＳを含めた他のプロセスに原因がある、或いは他プロセスとの競合に原因があることもよくあるためである。
【００１０】
従って、従来の装置でプロセスの状態監視や性能分析を行うためには、プロセスの内部情報を出力させ、別途、同条件でプロセスを動作させオペレーティングシステムの管理している制御情報を採取し、有効と見なされる情報を人手で取捨選択し、両方の情報をタイムテーブルで見較べ、問題点やボトルネックを見つけ出す必要がある。
【００１１】
又、監視対象プロセス側に組み込んだトレース、分析、記録機能（通信管理プログラムでの処理の開始及び終了時の時刻情報、資源使用量の採取、減算、加工条件との照合、記録の為のＩ／Ｏ）を常時実行することにより逆に監視対象プロセスの性能を劣化させる、システムを高負荷状態にする、ディスク容量を圧迫し、運用中のシステムには適用できないという問題もあった。
【００１２】
又、トレース機能を異常時のみに限定する仕組みとした場合に、プロセスでは異常と認識できないシステムの動作状況（システム全体のＣＰＵ使用率、Ｉ／Ｏビジー率等）やプロセスステータス（プロセス毎のＣＰＵ使用率、メモリ使用量）上のボトルネック時に、トレース機能が働かないために情報を採取できなかった。
【００１３】
【課題を解決するための手段】
本発明の第１のプロセス状態監視分析方式は、監視の対象とするプロセス内部のプロセス情報を順次採取しプロセス情報テーブルに記録するプロセス情報採取手段と、システム全体の動作状況やステータスを定期的に採取しシステム情報テーブルに記録するシステム情報採取手段と、出力要求を検出すると前記両テーブルの各エントリの情報を時刻情報をキーとして対応付ける情報解析手段と、対応付けられたプロセス情報、システム情報を編集出力形式ファイルの指定に従って選択、編集しファイルに出力する情報出力手段とを有することを特徴とする。
【００１４】
本発明の第２のプロセス状態監視分析方式は、監視対象の複数のプロセス毎に設けられ、各プロセス内部のプロセス情報を順次採取し自己のプロセス情報テーブルに記録する、複数のプロセス情報採取手段と、システム全体の動作状況、ステータス、実行プロセス情報を定期的に採取しシステム情報テーブルに記録するシステム情報採取手段と、監視対象のプロセスの内の少なくとも一つから出力要求を受けると前記各プロセス情報テーブルにシステム情報テーブルの情報を時刻情報、或いは前記実行プロセス情報をキーとして対応付ける第２の情報解析手段と、対応付けられたプロセス情報とシステム情報の組を、編集出力形式ファイルの指定に従って選択し編集しファイルに出力する情報出力手段とを有することを特徴とする。
【００１５】
本発明の第３のプロセス状態監視分析方式は、前記第１、又は第２のプロセス状態監視分析方式に於いて、前記プロセス情報採取手段を、監視対象のプロセスに埋め込まれ、プロセス異常を含めたイベント発生時に記録手段を呼び出す手段と、イベントを記録する手段とすることを特徴とする。
【００１６】
本発明の第４のプロセス状態監視分析方式は、前記第１、又は第２のプロセス状態監視分析方式に於いて、前記システム情報採取手段をオペレーティングシステムが出力するシステムアクティビティ情報エリアから、定期的にオペレーティングシステムやユーザプロセスのＣＰＵ稼働時間情報、Ｉ／Ｏ待ち時間情報を含むシステム情報を採取し記録する手段とすることを特徴とする。
【００１７】
本発明の第５のプロセス状態監視分析方式は、前記第１、又は第２のプロセス状態監視分析方式に於いて、前記プロセス情報テーブル、システム情報テーブルをメモリ上のテーブルとし、プロセス情報採取手段やシステム情報採取手段が所定サイズのテーブルエリアを循環使用し記録することを特徴とする。
【００１８】
本発明の第１のプロセス状態監視分析プログラムは、監視の対象とするプロセス内部のプロセス情報を順次採取しプロセス情報テーブルに記録するプロセス情報採取手順と、システム全体の動作状況やステータスを定期的に採取しシステム情報テーブルに記録するシステム情報採取手順と、出力要求を検出すると前記両テーブルの各エントリの情報を時刻情報をキーとして対応付ける情報解析手順と、対応付けられたプロセス情報とシステム情報を編集出力形式ファイルの指定に従って編集しファイルに出力する情報出力手順とを有することを特徴とする。
【００１９】
本発明の第２のプロセス状態監視分析プログラムは、監視対象の複数のプロセス毎に設けられ、各プロセス内部のプロセス情報を順次採取し自己のプロセス情報テーブルに記録する、複数のプロセス情報採取手順と、システム全体の動作状況、ステータス、実行プロセス情報を定期的に採取しシステム情報テーブルに記録するシステム情報採取手順と、監視対象のプロセスの内の少なくとも一つから出力要求を受けると前記各プロセス情報テーブルにシステム情報テーブルの情報を時刻情報、或いは前記実行プロセス情報をキーとして対応付ける第２の情報解析手順と、対応付けられたプロセス情報とシステム情報の組を、編集出力形式ファイルの指定に従って選択し編集しファイルに出力する情報出力手順とを有することを特徴とする。
【００２０】
本発明の第３のプロセス状態監視分析プログラムは、前記第１、又は第２のプロセス状態監視分析プログラムに於いて、前記プロセス情報採取手順を、監視対象のプロセスに埋め込まれ、プロセス異常を含めたイベント発生時に記録手段を呼び出す手順と、イベントを記録する手順とすることを特徴とする。
【００２１】
本発明の第４のプロセス状態監視分析プログラムは、前記第１、又は第２のプロセス状態監視分析プログラムに於いて、前記システム情報採取手順をオペレーティングシステムが出力するシステムアクティビティ情報エリアから、定期的にオペレーティングシステムやユーザプロセスのＣＰＵ稼働時間情報、Ｉ／Ｏ待ち時間情報を含むシステム情報を採取し記録する手順とすることを特徴とする。
【００２２】
本発明の第５のプロセス状態監視分析プログラムは、前記第１、又は第２のプロセス状態監視分析プログラムに於いて、前記プロセス情報採取手順がメモリ上の所定サイズのテーブルエリアを循環使用しプロセス情報テーブルを最新状態に更新し、前記システム情報採取手順がメモリ上の所定サイズのテーブルエリアを循環使用しシステム情報テーブルを最新状態に更新することを特徴とする。
【００２３】
【発明の実施の形態】
次に、本発明の第１の実施の形態について図面を参照して詳細に説明する。尚、以下の説明で、システム全体のＣＰＵ使用率、Ｉ／Ｏビジー率、メモリ使用量といったシステム全体およびプロセスの動作状況をシステム情報、プロセスのエラーメッセージ、パラメータ値といったプロセス独自のトレース情報をプロセス情報と略記する。
【００２４】
図１は本実施形態のプロセス状態監視分析方式の全体構成を示したブロック図である。ホストは、システム動作状況やプロセスステータスを採取するシステム情報採取手段１、プロセス内部のプロセス情報を採取するプロセス情報採取手段２、プロセスとシステムの情報を解析する情報解析手段３、各情報をファイルに出力する情報出力手段４、監視されるプロセス６、システム情報を格納するシステム情報テーブル７、プロセス情報を格納するプロセス情報テーブル８、状況のファイル出力形式を記述する編集出力形式ファイル９、システム情報、プロセス情報を編集した編集出力ファイル１０、編集出力ファイル１０に出力する契機を与える出力要求手段５を含んでいる。
【００２５】
システム情報採取手段１は、定期的にシステム情報を採取しシステム情報テーブル７に出力する。例えば、１秒から数分等の一定間隔でタイマー割込を利用し起動されるデーモンプロセスとし、オペレーティングシステムのＳＡＲ（Ｓｙｓｔｅｍ  Ａｃｔｉｖｉｔｙ  Ｒｅｐｏｒｔｏｒ）等のメモリ上の出力エリアからシステム全体のＣＰＵ使用率、プロセス毎のＣＰＵ使用率、Ｉ／Ｏビジー率、メモリ使用量等のシステム情報を読出し、メモリ上のシステム情報テーブル７に格納する。
【００２６】
このデーモンプロセスには、オペレーティングシステムの処理経過情報にアクセス可能とする為、ユーザプロセス（ＡＰプログラム等）よりも高い読出アクセス権を持たせておく。
【００２７】
プロセス情報採取手段２は、プロセス６の要求に応じてプロセス内部情報を採取しプロセス情報テーブル８に出力する。
【００２８】
監視されるプロセスにイベントやオペレーティングシステムのＡＰＩ（Ａｐｌｙｃａｔｉｏｎ  Ｐｒｏｇｒａｍ  Ｉｎｔｅｆａｃｅ）呼出の発生時にプロセス情報採取手段２の記録手段を呼び出すマクロ命令等を設定し、呼び出された記録手段がイベントやＡＰＩ呼出情報等を取得し、更に必要に応じその時の時刻を取得し、プロセス情報テーブル８に順次追記していく。
【００２９】
出力要求手段５は、システム情報、プロセス情報の解析、編集、出力を指示する手段であり、キーボード等の入力手段或いは外部の監視プログラム等であり、シグナル割込等を利用し、出力要求を情報解析手段３に通知する。
【００３０】
情報解析手段３は、出力要求を契機としてシステム情報テーブル７、プロセス情報テーブル８の情報データを情報出力手段４に送る。
【００３１】
情報出力手段４は受けたデータを編集出力形式ファイル９の形式に従って、選択し、編集し、編集出力ファイル１０に出力する。
【００３２】
尚、プロセス情報採取手段２、システム情報採取手段１、情報解析手段３、情報出力手段４は監視されるプロセス６を含むホスト装置（サーバ、コンピュータ、端末等の情報処理装置）のプログラムで実現される。
【００３３】
次に、本実施の形態の動作について図面を参照して説明する。図２は本実施形態のプロセス状態監視分析方式の動作を示したフローチャートである。
【００３４】
システム情報採取手段１は、定期的にシステム情報を採取しシステム情報テーブル７に出力する。プロセス情報採取手段２は、プロセス６の要求に応じてプロセス内部情報を採取しプロセス情報テーブル８に出力する（ステップ１）。
【００３５】
システム情報テーブル７には、例えば図３に示す様に、１秒ごとの処理状況情報として、時刻情報、ＣＰＵのユーザプロセス実行時間、システム（オペレーティングシステム）のプロセス実行時間、ＩＯ待ち時間、アイドル時間（空き時間）の割合（パーセンテージ）が、Ｔｉｍｅ、ｕｓｒ、ｓｙｓ、ｗｉｏ、ｉｄｌｅ欄に格納される。
【００３６】
プロセス情報テーブルには、例えば図４に示す様に、監視されるプロセスで発生したイベントやＡＰＩ呼出情報、それらの時刻がＤｅｓｃｒｉｐｔｉｏｎ、Ｔｉｍｅ欄に逐次追記格納される。
【００３７】
操作者或いは外部の監視プログラムが異常を検知した場合は、出力要求手段５により情報出力、或いはそれとトレース停止を要求し、情報解析手段３は出力要求を検出すると（ステップ２）、トレース停止指示が付随していれば（ステップ３）システム情報採取手段１とプロセス情報採取手段２に停止指示する（ステップ４）。
【００３８】
システム情報テーブル７、プロセス情報テーブル８の情報を読出し引き取り、両者の各エントリの情報を対応付け情報出力手段４に送る。
【００３９】
即ち、システム情報テーブル７、プロセス情報テーブル８はそれぞれ所定の限られたサイズのメモリエリアに作成されるが、エリアの末尾へ書き込むと先頭に戻り最古の情報に順次上書きする循環方式で作成されており、各採取手段の書き込みポインタ情報を参照し最古の情報が先頭になる様に整え、時刻情報をキーとしシステム情報、プロセス情報を対応付けてから送る。
【００４０】
例えば図３のシステム情報テーブルの２０：０７：４１、２０：０７：４３、２０：０７：４６の各エントリが図４のプロセス情報テーブルの同時刻のＤｅｓｃｒｉｐｔｉｏｎ情報に対応付けられる（ステップ５）。
【００４１】
情報出力手段４は編集出力形式ファイル９を読み込み、情報解析手段３より受け取った情報を編集出力形式ファイル９の指定の形式に編集し、結果を編集出力ファイル１０に出力する。
【００４２】
例えば、編集出力形式ファイル９が図５に示す様にＤｅｓｃｒｉｐｔｉｏｎ、ｗｉｏを指定していれば、対応付けられた両者の情報の内、Ｔｉｍｅ、Ｄｅｓｃｒｉｐｔｉｏｎ、ｗｉｏ欄の各行（エントリ）の情報が選択され、図６に示す情報に編集しファイルに出力する（ステップ６）。
【００４３】
ステップ４の停止を行ってなければ（ステップ７）、同様のトレース動作が繰り返される。
【００４４】
次に、本発明の第２の実施の形態について図面を参照して詳細に説明する。図７は本実施形態のプロセス状態監視分析方式の全体構成を示したブロック図である。
【００４５】
ホストは、システム情報を採取するシステム情報採取手段１、各プロセス内のプロセス情報を採取するプロセス情報採取手段２−１〜２−Ｎ、プロセス情報とシステム情報を監視し解析する情報解析手段３Ａ、各情報をファイルに出力する情報出力手段４、監視されるプロセス６−１〜６−Ｎ、システム情報を格納するシステム情報テーブル７、プロセス情報を格納するプロセス情報テーブル８−１〜８−Ｎ、状況のファイル出力形式を記述する編集出力形式ファイル９、システム情報、プロセス情報を編集した編集出力ファイル１０−１〜１０−Ｎを含む。
【００４６】
システム情報採取手段１は、定期的にシステム情報を採取しシステム情報テーブル７に出力する。例えば、オペレーティングシステムのＳＡＲ等のメモリ上の出力エリアからシステム全体のＣＰＵ使用率、プロセス毎のＣＰＵ使用率、Ｉ／Ｏビジー率、メモリ使用量の他、実行プロセス情報（実行したプロセス名の記録、或いは実行中のプロセス名）を読出し、メモリ上のシステム情報テーブル７に格納する。
【００４７】
プロセス情報採取手段２−１〜２−Ｎは、プロセス６−１〜６−Ｎの要求に応じてプロセス内部情報を採取しそれぞれプロセス情報テーブル８−１〜８−Ｎに出力する。
【００４８】
プロセス６−１〜６−Ｎは自分が異常を検知したときに、情報解析手段３Ａに通知する（指示１２−１、・・、１２−Ｎ）。
【００４９】
例えば、プロセス６−１〜６−Ｎの何れかのプロセスで図４に示す様なアクション結果ファイルのオープンに失敗した等の異常を検出すると情報解析手段３Ａに通知する。
【００５０】
情報解析手段３Ａ（第２の情報解析手段）は、プロセス６−１〜６−Ｎの何れかより上記通知を受けるとシステム情報テーブル７の各エントリの情報、プロセス情報テーブル８−１〜８−Ｎの各エントリ情報を時刻情報、或いは実行プロセス情報をキーとして対応付け、情報出力手段４に送り、情報出力手段４が、システム情報とプロセス情報を編集出力形式ファイル９の形式に従って対応付けられたプロセス情報とシステム情報のＮ個の組から選択し、編集し、編集出力ファイル１０−１〜１０−Ｎに出力する。
【００５１】
編集出力形式ファイル９はプロセス情報テーブル識別とそれの項目名、システム情報テーブルの項目名の形式で記述されている。
【００５２】
上記の様に構成することにより、複数プロセスへの同時適用ができ、プロセス毎のトレース情報を参照することができる。
【００５３】
尚、プロセス情報採取手段２−１〜２−Ｎ、システム情報採取手段１、情報解析手段３Ａ、情報出力手段４は監視されるプロセス６−１〜６−Ｎを含むホスト装置（サーバやコンピュータ端末等の情報処理装置）のプログラムで実現される。
【００５４】
【発明の効果】
以上説明した様に、本発明によれば、プロセス、システムの何れかで問題を検出した場合に、他方の情報も採取されており、出力した情報を用いて原因解析が確実に行える。
【００５５】
また、システムおよびプロセスのトレース情報を関連付けてファイル出力できるため、プロセスでは異常と認識できないシステムの動作状況やプロセスステータス上のボトルネックの調査においても、解析時の手段として有効である。
【００５６】
また、問題を検出した場合にのみ、トレース情報の解析、編集、ファイル出力を行っており、負荷を軽減したトレース情報ファイル出力を行える。
【００５７】
即ち、通常は、メモリ領域内にトレース情報を確保し、異常を検出した場合および調査が必要な場合のみ、メモリ上のトレース情報をファイル出力する方式であり、問題が発生していない正常運用中に負荷をかけることなく、解析に必要なトレース情報の採取が可能である。
【図面の簡単な説明】
【図１】本発明のプロセス状態監視分析方式の第１実施形態の全体構成を示したブロック図。
【図２】本発明のプロセス状態監視分析方式の第１実施形態の動作を示したフローチャート。
【図３】本発明の第１実施形態のシステム情報テーブル７の例を示した図。
【図４】本発明の第１実施形態のプロセス情報テーブル８の例を示した図。
【図５】本発明の第１実施形態の編集出力形式ファイル９の例を示した図。
【図６】本発明の第１実施形態の編集出力ファイル１０の例を示した図。
【図７】本発明のプロセス状態監視分析方式の第２実施形態の全体構成を示したブロック図。
【符号の説明】
１    システム情報採取手段
２、２−１〜２−Ｎ    プロセス情報採取手段
３、３Ａ    情報解析手段
４    情報出力手段
５    出力要求手段
６、６−１〜６−Ｎ    監視されるプロセス
７    システム情報テーブル
８、８−１〜８−Ｎ    プロセス情報テーブル
９    編集出力形式ファイル
１０    編集出力ファイル
【図１】
2004295321.tif 000003
【図２】
2004295321.tif 000004
【図３】
2004295321.tif 000005
【図４】
2004295321.tif 000006
【図５】
2004295321.tif 000007
【図６】
2004295321.tif 000008
【図７】
2004295321.tif 000009